(57)【特許請求の範囲】
【請求項１】
施療子を上下方向、幅方向及び前後方向の少なくとも一方に駆動する駆動機構がカバーにて保護されて背もたれ部内に備えられ、前記駆動機構により前記施療子を施療動作させて着座した使用者に対してマッサージを行うマッサージ椅子であって、
前記カバーは、前記使用者と接する外側カバー部材とその内側の内側カバー部材とが２枚重ねて構成されて接続部材に固定され、
前記外側カバー部材の耐摩耗性を前記内側カバー部材よりも低く、且つ前記外側カバー部材に対して前記内側カバー部材の色の色相又は明度を相違させたことを特徴とするマッサージ椅子。
【請求項２】
請求項１に記載のマッサージ椅子において、
前記外側カバー部材及び前記内側カバー部材は、互いに反対側の色相で構成されたことを特徴とするマッサージ椅子。
【発明の詳細な説明】
【技術分野】
【０００１】
本発明は、背もたれ部にマッサージ機構が組み込まれたマッサージ椅子に関するものである。
【背景技術】
【０００２】
背もたれ部にマッサージ機構を組み込んだマッサージ椅子は、背中のつぼや経絡にマッサージ機構の施療子を当てて所定の動作をさせ、血行を促進させることで肩や背中の凝りを解消させるものであって、例えば特許文献１に示すように従来より提案されている。
【０００３】
このようなマッサージ椅子は、背もたれ部において施療子等の機構部が直接使用者の身体に触れないように布等のカバーにより被覆されている。そして、使用の都度施療子とカバーとが摺接してマッサージが行われるため、長期間使用するとカバーが破れて施療子が剥き出しになる虞がある。
【０００４】
そこで、例えば特許文献１にて示されているマッサージ椅子のように、背もたれ部のカバーが外側カバー部材と内側カバー部材との二枚重ねで構成され、カバーの耐久性の向上を図っているものがある。特に、この特許文献１のマッサージ椅子では、施療子が直接的に摺接する内側カバー部材を外側カバー部材よりも耐摩耗性を大としている。
【特許文献１】特許第３０９３７７７号公報
【発明の開示】
【発明が解決しようとする課題】
【０００５】
しかしながら、カバーを二重構造とし、しかも内側カバー部材の耐摩耗性を大としたことで、カバーの耐久性を向上できたものの、施療子の動作に伴う内外のカバー部材同士の摩擦からやがて破れが生じてくる。このとき、内外のカバー部材のどちらが先に破れる事になるのか分からず、例えば内側カバー部材が先に破れると外側カバー部材が破れて施療子が露出するまで、使用者がカバーの交換時期であることに気づきにくい。
【０００６】
一方、上述した特許文献１のように、内側カバー部材を外側カバー部材よりも耐摩耗性を大、換言すれば外側カバー部材を内側カバー部材よりも耐摩耗性を低くすることで、積極的に外側カバー部材から先に破れ始めるようにすることもできる。しかしながら、少し破れ始めても互いのカバー部材の見分けがつきにくいと、その破れに気付くのが遅れてしまうため、できるだけ早期に使用者に対してカバーの交換時期を知らせることが望まれている。
【０００７】
本発明は、上記課題を解決するためになされたものであって、その目的は、施療子を有するマッサージ機構が内蔵された背もたれ部のカバーの交換時期を、使用者に対して容易且つ的確に知らせることができるマッサージ椅子を提供することにある。
【課題を解決するための手段】
【０００８】
上記課題を解決するために、請求項１に記載の発明は、施療子を上下方向、幅方向及び前後方向の少なくとも一方に駆動する駆動機構がカバーにて保護されて背もたれ部内に備えられ、前記駆動機構により前記施療子を施療動作させて着座した使用者に対してマッサージを行うマッサージ椅子であって、前記カバーは、前記使用者と接する外側カバー部材とその内側の内側カバー部材とが２枚重ねて構成されて接続部材に固定され、前記外側カバー部材の耐摩耗性を前記内側カバー部材よりも低く、且つ前記外側カバー部材に対して前記内側カバー部材の色の色相又は明度を相違させたことをその要旨とする。
【０００９】
この発明では、カバーは、使用者と接する外側カバー部材とその内側の内側カバー部材とを２枚重ねて構成され、外側カバー部材の耐摩耗性が内側カバー部材よりも低く構成される。つまり、施療子の動作に伴う内外のカバー部材同士の摩擦により、積極的に外側カバー部材が先に破れ始める構成とされている。そして、外側カバー部材に対して内側カバー部材の色の色相又は明度が相違されることから、先に破れた外側カバー部材のその破れ箇所から色の色相又は明度の異なる内側カバー部材が覗き、使用者はカバーの破れ箇所を容易且つ的確に発見できるようになる。これにより、使用者に対してカバーの交換時期を容易且つ的確に知らせることができる。
【００１０】
請求項２に記載の発明は、請求項１に記載のマッサージ椅子において、前記外側カバー部材及び前記内側カバー部材は、互いに反対側の色相で構成されたことをその要旨とする。
【００１１】
この発明では、外側カバー部材及び内側カバー部材が互いに反対側の色相で構成される。これにより、外側カバー部材の色と内側カバー部材の色との差異が明確になり、より容易且つ的確に破れ箇所が発見しやすくなる。
【発明の効果】
【００１２】
本発明によれば、施療子を有するマッサージ機構が内蔵された背もたれ部のカバーの交換時期を、使用者に対して容易且つ的確に知らせることができるマッサージ椅子を提供することができる。
【発明を実施するための最良の形態】
【００１３】
以下、本発明を具体化した一実施の形態を図面に従って説明する。
図１に示すように、マッサージ椅子１０の脚部１１は図示しない床面に載置されるとともに、その脚部１１の上部には使用者が着座可能な座部１２が固定されている。その座部１２の後部には、使用者の背中を持たれ掛けさせるための背もたれ部１３が傾動可能に設けられている。使用者の腕を置くための肘掛け１４が座部１２の両側に設けられている。座部１２の前方下部には、使用者の足等を乗せてマッサージを行うオットマン１５が傾動可能に設けられている。
【００１４】
図２に示すように、背もたれ部１３は、硬質樹脂材料からなり前面が上下方向に長く開口された長方形状の開口部１６を有するバックボード１７と、該バックボード１７の背面側に取り付けられるバックカバー１８と、前記バックボード１７と前記バックカバー１８との間に収容され所定部位に取り付けられる略長方形状の機構部フレーム１９と、前記バックボード１７の前面を覆うように取り付けられるカバー部２０とで構成されている。
【００１５】
機構部フレーム１９には、その長手方向（上下方向）の内側面にガイドレール１９ａが形成されている。そのガイドレール１９ａには、駆動機構としてのマッサージ機構４０が組み込まれている。マッサージ機構４０は、マッサージ機構４０に組み付けられる駆動モータ（図示略）により上下動される。また、マッサージ機構４０には、幅方向の回転軸にて連結されたもみ玉４１ａを先端に有する施療子４１が対で備えられ、その駆動モータ又は別途設けられた駆動モータによりその一対の施療子４１が幅（左右）方向及び前後方向に駆動させる。このようにマッサージ機構４０の上下動に加えて、施療子４１の幅方向及び前後方向の動作が組み合わされることで、施療子４１による３次元の施療動作が行われるようになっている。
【００１６】
カバー部２０は、図２及び図３に示すように、バックボード１７の開口部１６の両側及び上側に連続するように設けられ使用者の背中の荷重を実質的に受ける背中受け部２０ａと、該背中受け部２０ａの内側で前記開口部１６の範囲、即ち施療子４１（もみ玉４１ａ）の移動範囲に対応した長方形状の施療子被覆部２０ｂとで構成されている。
【００１７】
背中受け部２０ａは、布地よりなる２枚のカバー部材３１，３２にてクッション３０を包んで構成され、使用者の背中の荷重をクッション３０で受け止めるように構成されている。カバー部材３１，３２は、幅方向外側端部が合成樹脂性の固定板３５と縫合されており、固定板３５に形成された複数の孔３５ａからピン３６をバックボード１７の複数の取付孔３７に向けて装着することで、カバー部２０がバックボード１７の開口部１６以外の前面を覆うように該バックボード１７に対して固定される。
【００１８】
施療子被覆部２０ｂは、背中受け部２０ａの内側でバックボード１７の開口部１６を塞ぐように設けられ、ともに布地よりなる内側カバー部材３３と外側カバー部材３４とを２枚重ねて構成されている。カバー部材３３，３４は、背中受け部２０ａのカバー部材３１，３２との境目が断面Ｊ字状の接続部材３８とともに縫合されており、該接続部材３８がバックボード１７の開口部１６に掛け止められている。
【００１９】
本実施の形態の内側カバー部材３３及び外側カバー部材３４は、内側カバー部材３３よりも外側カバー部材３４の耐摩耗性が低く構成されている。因みに、同一の生地材質を使用しつつ、その生地の厚さ、糸の太さ、生地の構成密度等の変更で対応できる。無論、糸の強度の異なる異種の生地材質を使用して耐摩耗性を変えてもよい。また、内側カバー部材３３及び外側カバー部材３４は、互いの色の色相（色合い）又は明度を相違させた生地で構成している。例えば、外側カバー部材３４に黒色など暗めの色を選択した場合、内側カバー部材３３は色の明度を変えて白やベージュなど明るめの色を選択する。また、内側カバー部材３３をピンク色など目立つ色を採用してもよい。また、外側カバー部材３４の色の色相に対し、内側カバー部材３３は色の色相を正反対または正反対近傍の反対側の色相を選択するとよい。
【００２０】
このような構成のマッサージ椅子１０では、背もたれ部１３内のマッサージ機構４０の駆動に基づいて、使用者の背中に対し揉み、擦り、叩き等の施療子４１（もみ玉４１ａ）による３次元の施療動作が行われる。
【００２１】
この施療子４１の３次元の施療動作は、カバー部２０のカバー部材３３，３４を介在させて使用者に伝達されているが、この施療子４１の施療動作に伴って内側カバー部材３３と外側カバー部材３４との間で摩擦が発生している。カバー部材３３，３４間で発生する摩擦によりカバー部材３３，３４のそれぞれ摩耗することとなるが、本実施の形態では前述したように外側カバー部材３４の耐摩耗性が内側カバー部材３３よりも低く構成されているため、積極的に外側カバー部材３４の方が先に摩耗して破れる構成となっている。そして、外側カバー部材３４が先に破れた場合は、内側カバー部材３３の色の色相や明度が外側カバー部材３４の色と相違されていることから、使用者に対して破れた箇所を容易且つ的確に示すことができる。特に、外側カバー部材３４と内側カバー部材３３とを反対側の色相を採用すれば、互いの色の差異が明確になる。これにより、使用者はカバー部２０の交換時期であることを認識することができるようになっている。
【００２２】
次に、本実施の形態の特徴的な作用効果を記載する。
（１）カバー部２０の施療子被覆部２０ｂは、使用者と接する外側カバー部材３４とその内側の内側カバー部材３３とを２枚重ねて構成され、外側カバー部材３４の耐摩耗性が内側カバー部材３３よりも低く構成される。つまり、施療子４１の動作に伴う内外のカバー部材３３，３４同士の摩擦により、積極的に外側カバー部材３４が先に破れ始める構成とされている。そして、外側カバー部材３４に対して内側カバー部材３３の色の色相又は明度が相違されることから、先に破れた外側カバー部材３４のその破れ箇所から色の色相又は明度の異なる内側カバー部材３３が覗き、使用者はカバー部２０の破れ箇所を容易且つ的確に発見できるようになる。これにより、使用者に対してカバー部２０（施療子被覆部２０ｂ）の交換時期を容易且つ的確に知らせることができる。
【００２３】
（２）外側カバー部材３４及び内側カバー部材３３が互いに反対側の色相で構成することで、外側カバー部材３４の色と内側カバー部材３３の色との差異が明確になり、より容易且つ的確に破れ箇所が発見しやすくなる。
【００２４】
尚、本発明の実施の形態は、以下のように変更してもよい。
【００２５】
・上記実施の形態では、施療子４１部分を覆うカバー部２０の施療子被覆部２０ｂに適用したが、カバー部２０が背中受け部２０ａと施療子被覆部２０ｂと連続するものにおいてはその全体に適用してもよい。
【図面の簡単な説明】
【００２６】
【図１】本実施の形態におけるマッサージ椅子の斜視図である。
【図２】背もたれ部の分解斜視図である。
【図３】背もたれ部の構成を説明するための図１のＡ−Ａ断面図である。
【符号の説明】
【００２７】
１０…マッサージ椅子、１３…背もたれ部、２０…カバー部（カバー）、３３…内側カバー部材、３４…外側カバー部材、４０…マッサージ機構（駆動機構）、４１…施療子。
【図１】
0005080237.tif 000002
【図２】
0005080237.tif 000003
【図３】
0005080237.tif 000004